(57)【要約】【課題】本体ケースとカバーケースとの係止構造に強度的劣化が生じるおそれが抑制される端子接続装置【解決手段】電線の先端に備わる導電性の端子６０が外部から挿入される、内部に導電性の端子接続構造２０と、外部に非導電性の箱状のケース５とを備える端子接続装置１であって、ケース５は対向する２面に端子接続構造２０が備わる内部に通じる挿入口１００と、対向する２面に隣り合う底面に内部に通じる開口部１２０とを有する本体ケース１０と、開口部１２０に装着されるカバーケース４０とを備え、本体ケース１０は少なくとも一つの側面の下端から外方向へ延びる固定用のフランジ１１を備え、フランジ１１にはボルト締め用のボルト穴１２が開いている。【選択図】図１
2018081882.tif 000002
【特許請求の範囲】
【請求項１】
電線の先端に備わる導電性の端子が外部から挿入される、内部に導電性の端子接続構造と、外部に非導電性の箱状のケースとを備える端子接続装置であって、
前記ケースは対向する２面に前記端子接続構造が備わる内部に通じる挿入口と、前記対向する２面に隣り合う底面に前記内部に通じる開口部とを有する本体ケースと、前記開口部に装着されるカバーケースとを備えるところに特徴を有する端子接続装置。
【請求項２】
前記本体ケースは前記端子接続構造の端子接続面に対向する上面に挿入完了位置にある端子と前記端子接続構造とを固定するための抜け止めピンの操作部が備わり、前記抜け止めピンを押し切り位置まで下げると前記端子が前記端子接続構造に固定され、前記押し切り位置から待機位置まで上げると前記端子は前記端子接続構造に対して挿入あるいは抜去が可能になるところに特徴を有する請求項１記載の端子接続装置。
【請求項３】
前記抜け止めピンは本体と貫通ピンを備え、前記貫通ピンは柱状の金属材料からなるところに特徴を有する請求項２記載の端子接続装置。
【請求項４】
前記本体ケースは少なくとも一つの側面の下端から外方向へ延びる固定用のフランジを備え、前記フランジにはボルト締め用のボルト穴が開いているところに特徴を有する請求項２又は３記載の端子接続装置。
【発明の詳細な説明】
【技術分野】
【０００１】
本発明は、端子接続装置に関し、詳しくは容易に端子の着脱ができる端子接続装置に関する。
【背景技術】
【０００２】
従来の電線を接続するための端子台は、たとえば特許文献１で開示されているように、端子台の所定の位置に電線の先端に装着された丸型圧着端子、あるいは先が開かれた先開型圧着端子をセットし、その位置で付属のネジによって位置決め固定するものである。端子台は、金属の板状体からなる接続部を備え、接続部は、ネジの締め付け力で、圧着端子と固く電気的機械的に接続される。これにより大電流にも対応することができる端子台が得られる。
【０００３】
また、特許文献２で開示されているように、接続部に圧着端子を所定位置で固定するためにロックレバーが備わる端子台が知られている。接続部は、圧着端子と電気的機械的に接続するための端子板が備わり、この端子板の反接続面側にコイル状の圧接ばねと、接続面側に軸回転可能な回転軸を有するロックレバーとが備わる。先が開かれた先開型圧着端子は、先開部でこの回転軸を挟む要領で所定位置に納まる。ロックレバーは、この位置で圧着端子を固定するための機構を備え、回転操作で解除位置から締付位置に切り替えられる。これにより、圧着端子は端子台に電気的機械的に固定される。解除は、この逆の切り替え操作でおこなわれる。
【０００４】
また、特許文献３で開示されているように、対応可能な圧着端子の形状を限定することがなく、ネジ締め作業を排し、簡易な操作で電気的機械的に圧着端子を接続することができる端子接続装置が知られている。
【先行技術文献】
【特許文献】
【０００５】
【特許文献１】特開第２０１３−１６５００１号公報
【特許文献２】特開第２００５−１４９８２０号公報
【特許文献３】特開第２０１５−０７９７０５号公報
【発明の概要】
【発明が解決しようとする課題】
【０００６】
しかし、特許文献１記載の技術によれば、圧着端子を端子台に固定するためには、付属のネジを要し、且つネジ締め作業をともなう。また、圧着端子を端子台から取り外すときにも、ネジの緩め作業をともない、圧着端子の着脱は煩雑である。
特許文献２記載の技術によれば、圧着端子の着脱は、ロックレバーの操作によってできるので煩雑な作業から解放される。けれども、使用可能な圧着端子が限られていて、先端に切り欠きがある先開型圧着端子にのみ対応することができるものである。すなわち、一般的な形状である、丸型圧着端子には対応することができない限定的な接続技術である。
【０００７】
特許文献３記載の技術によれば、対応可能な圧着端子の形状を限定することがない端子接続装置であり、圧着端子の接続作業から、ネジ締め作業を排し、簡易な操作で電気的機械的に圧着端子を接続することができる端子接続装置であるが、本体ケースとカバーケースとが別体構造からなり、ともに合成樹脂の射出成形品であるので、たとえば凹部と凸部構造からなる係止部は端子の挿抜操作の繰り返しにより干渉部分にヘタリが生じ係止力の低下が予測される。また、大電流仕様の大型化により端子部材の板厚みが増加すると係止
部への強度的負荷が増大する。これによりヘタリが促進されることにもなる。
【０００８】
本発明は、上述した問題に鑑みてなされたものである。本体ケースとカバーケースとの係止構造に強度的劣化が生じるおそれが抑制される端子接続装置、及び端子接続方法を提供することを課題とするものである。
【課題を解決するための手段】
【０００９】
本発明の端子接続装置は、（１）電線の先端に備わる導電性の端子が外部から挿入される、内部に導電性の端子接続構造と、外部に非導電性の箱状のケースとを備える端子接続装置であって、前記ケースは対向する２面に前記端子接続構造が備わる内部に通じる挿入口と、前記対向する２面に隣り合う底面に前記内部に通じる開口部とを有する本体ケースと、前記開口部に装着されるカバーケースとを備えるところに特徴を有するものである。
【００１０】
この発明によれば、カバーケースが本体ケースの底面の開口部に取り付く構造なので、端子の挿抜により本体ケースとカバーケースとの係止構造の強度的劣化が抑制された端子接続装置、及び端子接続方法が得られる。たとえば、本体ケースは回路基板、筐体等に底面を対応させる姿勢で固定されるので、端子の挿抜によってカバーケースが本体ケースに対して上下方向へ摺接移動することが抑制される。これにより係止部の損耗が抑制されることとなる。
【００１１】
好ましくは本発明の端子接続装置は、（２）前記本体ケースは前記端子接続構造の端子接続面に対向する上面に挿入完了位置にある端子と前記端子接続構造とを固定するための抜け止めピンの操作部が備わり、前記抜け止めピンを押し切り位置まで下げると前記端子が前記端子接続構造に固定され、前記押し切り位置から待機位置まで上げると前記端子は前記端子接続構造に対して挿入あるいは抜去が可能になるところに特徴を有する（１）記載のものである。
【００１２】
この発明によれば、端子と端子接続構造との接続あるいは抜去は、抜け止めピンの押し下げあるいは押し上げ操作でおこなわれるものである。これにより、ねじ締めによる端子固定工程が不要な端子接続装置が得られる。
【００１３】
好ましくは本発明の端子接続装置は、（３）前記抜け止めピンは本体と貫通ピンを備え、前記貫通ピンは柱状の金属材料からなるところに特徴を有する（２）記載のものである。
【００１４】
この発明によれば、抜け止めピンの貫通ピンが金属材料からなるので、抜け止めピンの挿抜操作の繰り返しによっても、摺接部の損耗が抑制される端子接続装置が得られる。
【００１５】
好ましくは本発明の端子接続装置は、（４）前記本体ケースは少なくとも一つの側面の下端から外方向へ延びる固定用のフランジを備え、前記フランジにはボルト締め用のボルト穴が開いているところに特徴を有する（２）又は（３）記載のものである。
【００１６】
この発明によれば、本体ケースは対応する被固定物に対してフランジ部分がボルト締めされる構造である。これにより、端子の挿抜により本体ケースとカバーケースとの係止構造の強度的劣化が抑制された端子接続装置、及び端子接続方法が得られる。
【図面の簡単な説明】
【００１７】
【図１】図１は、本発明の実施形態に係る端子接続装置の外観斜視図である。
【図２】図２は、図１のＸ２−Ｘ２線における断面図である。
【図３】図３は、図１のＹ３−Ｙ３線における断面図である。
【図４】図４は、本発明の実施形態に係る端子接続装置の本体ケースの内部を示す斜視図である。
【図５】図５は、図４のＸ５−Ｘ５線における断面斜視図である。
【図６】図６は、本発明の実施形態に係る端子接続装置の台座部の外観斜視図である。
【図７】図７は、図６のＸ７−Ｘ７線における断面斜視図である。
【図８】図８は、本発明の実施形態に係る端子接続装置のカバーケースの組立工程を示す工程図であって、（Ａ）は、カバーケースに第２板ばね部材を組み付ける工程、（Ｂ）は、組み付け完了状態を示す工程である。
【図９】図９は、本発明の実施形態に係る端子接続装置の端子接続構造を示す外観斜視図である。
【図１０】図１０は、同第１板ばね部材を示す外観斜視図である。
【図１１】図１１は、同第２板ばね部材を示す外観斜視図である。
【図１２】図１２は、同支持部材を示す外観斜視図である。
【図１３】図１３は、図９に示す端子接続装置に端子を挿入した状態を示す斜視図である。
【図１４】図１４は、本発明の実施形態に係る端子接続装置の抜け止めピンの外観斜視図である。
【図１５】図１５は、同抜け止めピンの下方からの外観斜視図である。
【図１６】図１６は、図１４のＹ１６−Ｙ１６線における断面斜視図である。
【図１７】図１７は、本体ケースに抜け止めピン、第２板ばね部材、支持部材を装着する工程図であって、（Ａ）は装着前、（Ｂ）は抜け止めピンの装着工程、（Ｃ）は第２板ばね部材の装着工程、（Ｄ）は支持部材の装着工程である。
【図１８】図１８は、図１７の（Ｄ）のＹ１８−Ｙ１８線における断面斜視図である。
【図１９】図１９は、図１７の（Ｄ）のＸ１９−Ｘ１９線における断面斜視図である。
【図２０】図２０は、本発明の実施形態に係る端子接続装置のカバーケースと、本体ケースとの組立工程を示す工程図であって、（Ａ）は、組立前、（Ｂ）は組立後を示す斜視図である。
【図２１】図２１は、本発明の実施形態に係る端子接続装置に、圧着端子を挿入し、抜け止めピンを押し込む過程を示す接続手順図であって、（Ａ）は、圧着端子の挿入開始を示す斜視図、（Ｂ）は、圧着端子の挿入完了状態を示す斜視図、（Ｃ）は、前方の抜け止めピンを抜け止め位置まで押し下げた状態を示す斜視図である。
【図２２】図２２は、図２１のＸ２２−Ｘ２２線における断面斜視図であって、（Ａ）は、圧着端子の挿入開始を示す斜視図、（Ｂ）は、圧着端子の挿入完了状態を示す斜視図、（Ｃ）は、前方の抜け止めピンを抜け止め位置まで押し下げた状態を示す斜視図である。
【図２３】図２３は、筐体に取り付けられた状態の本発明の実施形態に係る端子接続装置に４本の圧着端子を挿入した状態を示す外観斜視図である。
【発明を実施するための形態】
【００１８】
本発明の実施形態に係る端子接続装置１について、図面にしたがって説明する。図１は、本発明の実施形態に係る端子接続装置の外観斜視図である。図２は、図１のＸ２−Ｘ２線における断面図である。図３は、図１のＹ３−Ｙ３線における断面図である。図４は、本発明の実施形態に係る端子接続装置の本体ケースの内部を示す斜視図である。図５は、図４のＸ５−Ｘ５線における断面斜視図である。なお、説明で指示する方向は、図面で定義する方向に従う。
【００１９】
端子接続装置１は、図１、図２に示されるように、合成樹脂製のケース５、その中に収容される金属製の端子接続構造２０、及びケース５に組み付けられる鉄ピン（貫通ピン５３０）を備えた抜け止めピン５０を備えている。ケース５は、本体ケース１０と、カバーケース４０との分割式である。
【００２０】
ケース５が本体ケース１０と、カバーケース４０とに分かれた分割式であることは、端子接続構造２０の装着を容易にするとともに、カバーケース４０が、端子接続構造２０を正規装着位置に保持することを可能にする。
【００２１】
〈端子接続装置概説〉
本体ケース１０は、図２、図３に示されるように、内部に空間を備えた、絶縁性の合成樹脂からなる、略箱体の射出成形品である。本体ケース１０は、前面、後面に電線の先端に取り付けられた端子を挿入するための挿入口１００を備えている。挿入口１００は、本体ケース１０の内部に形成された、電線を収容するための電線収容部１３０に連なっている。
【００２２】
本体ケース１０は、図４、図５に示されるように、底面に端子接続構造２０を装着するための開口部１２０を備え、開口部１２０は、カバーケース４０を収容するためのカバー収容部１２１に連なっている。カバー収容部１２１は、その奥部に備わる端子収容部１１０に連なる。さらに端子収容部１１０はさらに奥部のピン制御部１４に連なる。また端子収容部１１０は、その前方、及び後方に備わる電線収容部１３０に連なっている。
【００２３】
カバーケース４０は、図２、図３に示されるように、本体ケース１０のカバー収容部１２１に嵌め込まれ、本体ケース１０と一体的にケース５を構成する。カバーケース４０は、絶縁性の合成樹脂からなる射出成形品である。
【００２４】
ピン制御部１４は、端子６０の挿入方向に対して直交する方向に沿って、抜け止めピン５０が移動するための収容部４１０を備えている。
【００２５】
端子接続構造２０は、図２、図３に示されるように、第１端子接続構造２００と、第２端子接続構造２０１とを備えている。第１端子接続構造２００、及び第２端子接続構造２０１は、一部部材を共有する構成で、同じ構造を備えている。端子接続構造２０は、端子６０を接続するための最小構成単位である端子接続手段２０３を備えている。端子接続手段２０３は、支持部３００ａと、板ばね部２２０ａとを備えている。
【００２６】
抜け止めピン５０は、図２に示されるように、端子接続構造２０に挿入された端子６０を正規挿入位置で保持するものである。抜け止めピン５０は、操作性を考慮して本体５００を備えるとともに、その下面に、端子６０の抜けを防止するための貫通ピン５３０を備えている。貫通ピンは金属製であってよく、たとえばステンレスなどの鉄系の金属であってよい。
【００２７】
〈本体ケース〉
本体ケース１０は、図４、図５に示されるように、絶縁性の合成樹脂からなる箱体で、端子接続構造２０を収容するための端子収容部１１０をその中央部に備えている。本体ケース１０は、端子収容部１１０の前方、及び後方に電線収容部１３０を備えている。電線収容部１３０は、端子接続手段２０３に端子６０を挿入する過程では、端子６０を案内する挿入通路として機能し、端子６０との接続時には、端子６０の後方に連なる電線６１０の収容部として機能する。電線収容部１３０は、さらに前方、あるいは後方に延びて、本体ケース１０の前面の挿入口１００、あるいは後面の挿入口１００に連なる。
【００２８】
端子接続構造２０は、上段、及び下段の２段構造からなる。便宜上、下段を第１端子接続構造２００、上段を第２端子接続構造２０１と表記する。これに倣い、端子収容部１１０は、図６に示されるように、第１端子接続構造２００が収まるところを第１端子収容部１１１、第２端子接続構造２０１が収まるところを第２端子収容部１１２と表記し、それ
に連なる電線収容部１３０も、下段を第１電線収容部１３１、上段を第２電線収容部１３２と表記する。さらに、それに連なる挿入口１００も、下段を第１挿入口１０１、上段を第２挿入口１０２と表記する。
【００２９】
挿入口１００は、図５に示されるように、本体ケース１０の前面に第１挿入口１０１、及び第２挿入口１０２を備えるとともに、後面に第１挿入口１０１、及び第２挿入口１０２を備える。１個の挿入口１０１、あるいは１０２について、１個の端子６０の挿抜を行なうことができるので、端子接続装置１は、同時に４個の端子６０の接続を行なうことができる。第１電線収容部１３１と、第２電線収容部１３２との間には、仕切壁１３３が備わり、仕切壁１３３によって両収容部１３１、１３２は区画されている。これにより、電線の端末に圧着された端子６０が端子接続構造２０に挿入されたとき、第１電線収容部１３１にある端子６０の圧着部と、第２電線収容部１３２にある端子６０の圧着部との間は、仕切壁１３３によって、電気的接触は構造的に回避されることとなる。
【００３０】
第２電線収容部１３２と、その奥部にある端子収容部１１０との間には、図６に示されるように、奥壁１３４が備わる。奥壁１３４は、第２電線収容部１３０と、端子収容部１１０とを区画する。ただし、奥壁１３４の一部にスリット１３５が設けられ、このスリット１３５によって端子６０の通路は確保されている。このように、必要最小限の隙間だけを残し、その残りの部分は、仕切壁１３３、及び奥壁１３４を設けて区画することによって、端子間の不要な接触、さらに外部との特に電気的接触の危険性が回避されている。なお第１電線収容部１３１と端子収容部１１０との間については、カバーケース４０の装着によって区画がなされる。
【００３１】
スリット１３５は、図６に示されるように、奥壁１３４の、仕切壁１３３との交線上の近傍に備わる。スリット１３５の幅と厚みは、端子６０がスムーズに挿抜できる大きさである。
端子収容部１１０は、図６に示されるように、カバー収容部１２１の奥部に連なる断面矩形の空間である。端子収容部１１０と、カバー収容部１２１とは連続して備わる一体的な空間である。端子接続構造２０は、本体ケース１０の開口部１２０から、カバー収容部１２１を通して端子収容部１１０に装着される
【００３２】
端子収容部１１０は、図５に示されるように、上方に圧入スリット１４０、及び案内部１７０を備える。圧入スリット１４０は、側面に離間して２個備わる。端子接続構造２０の圧入部２７０を受け入れるためのスリットである。圧入スリット１４０に圧入部２７０が圧入されることによって、端子接続構造２０は、正規装着位置に装着される。圧入スリット１４０の幅と厚みは、圧入部２７０を圧入できる大きさである。
【００３３】
案内部１７０は、図５に示されるように、端子接続構造２０を本体ケース１０の端子収容部１１０に装着するとき、正規装着位置に案内するとともに、カバーケース４０を嵌め込むとき、正規嵌め込み位置に案内するために備わる。案内部１７０は、断面矩形の柱状体で、端子収容部１１０の中央部に備わる。案内部１７０は、端子接続構造２０の位置決め孔２８０、及びカバーケース４０の位置決め孔４７０が通過できる程度の大きさがあればよく、これらの孔の大きさに比べて僅かに小さいものであればよい。案内部１７０の長さは、装着された端子接続構造２０を貫き、組み付けられたカバーケース４０の中程まで届く長さがあればよい。
【００３４】
＜ピン制御部＞  ピン制御部１４について図面にしたがって説明する。図６は、本発明の実施形態に係る端子接続装置のカバーケースの外観斜視図である。図７は、図６のＸ７−Ｘ７線における断面斜視図である。
【００３５】
ピン制御部１４は、図７に示されるように、上方から下方に向けて貫通する、収容部４１０を備えている。収容部４１０は、抜け止めピン５０を収容するための空間で、２個の収容部４１０、および４１０が間に案内部１７０を挟む態様で前後方向に並んで備わる。
【００３６】
収容部４１０は、図６、図７に示されるように、断面矩形の柱状の空間である。周囲四方は壁である。左右壁は、抜け止めピン５０の抜け落ちを防止するための凸状の第１係止部４２０を下端に備えるとともに、抜け止めピン５０を待機位置５０１で保持するための凸状の第２係止部４２１を上端に備えている。第１係止部４２０は、比較的大きいものが一側面に一つ備わり、第２係止部４２１は、比較的小さいものが一側面に二つ備わる。
【００３７】
収容部４１０は、図７に示されるように、抜け防止部４３０を備えている。抜け防止部４３０は、案内部の上端近くに庇状の張り出しを備えている。抜け防止部４３０は、抜け止めピン５０が上方へ外れることを係止部５７５と係止して防ぐためのもので、案内部上端に備わる。
【００３８】
収容部の下端には、抜け止めピン５０を組み付けるための挿入口４１１が備わる。２個の挿入口４１１、４１１が、前後方向に並んで備わる。上方の開口部４１２の前後には、差込案内４４０が備わる。差込案内４４０は、開口部４１２の前後にある台座部上面１３ａが傾斜するもので、この傾斜を利用して差し込まれた抜け止めピン５０の引き抜き操作を助ける。
【００３９】
＜カバーケース＞  カバーケース４０は、本体ケース１０のカバー収容部１２１に嵌め込まれ、本体ケース１０と一体的にケース５を構成する。ケース５が本体ケース１０と、カバーケース４０とに分割されていることで、端子接続装置１の組み付け性が飛躍的に向上する。カバーケース４０は、正規嵌め込み位置で、本体ケース１０の端子収容部１１０に装着された端子接続構造２０を所定位置で保持する。
【００４０】
カバーケース４０は、図２、図３に示されるように、本体ケース１０の底面の開口部１２０を通してカバー収容部１２１に嵌め込まれる。カバーケース４０は箱体状の本体４００からなる。
【００４１】
本体４００は、図８に示されるように、左右側面４０３の、前方、及び後方に押え部４６０を備えている。押え部４６０は、上面の左右縁部の前後端から下方に延びる、比較的幅を有した板状体で、下方向に直線状に延びている。押え部４６０の下端は、板幅、及び板厚を一定に保った状態で本体４００の下面よりもさらに下方に延びている。押え部４６０は、上方に凸状の係止部４６１を備えている。
【００４２】
押え部４６０は、カバーケース４０を、本体ケース１０に嵌め込むとき、本体ケース１０の支持部１５０と協働してカバーケース４０を所定の位置まで案内する。係止部４６１は、本体ケース１０の保持部１２２と協働してカバーケース４０を本体ケース１０の正規嵌め込み位置に保持する。
【００４３】
カバーケース４０は、図８に示されるように、本体４００の上面４０１中央部から下方に穿たれた位置決め孔４７０を備えている。位置決め孔４７０は、本体ケース１０の案内部１７０と協働して、カバーケース４０を本体ケース１０に嵌め込むとき、案内の働きをする。
【００４４】
位置決め孔４７０は、断面矩形の柱状の空間である。位置決め孔４７０は、前後方向に並ぶ２個の貫通部受部１６０の間に備わる。カバーケース４０は、本体４００の上面４０２の四隅にスリット４５０を備えている。スリット４５０には、第１板ばね部材２２０１
の圧入部２７０が圧入されて保持される。
【００４５】
貫通部受部１６０は、図８に示されるように、カバーケース４０の上面に備わる正面視円形の凹部である。貫通部受部１６０は、所定の位置まで差し込まれた抜け止めピン５０を受け止め、その先端を凹部に嵌めて平面方向の僅かに生じるふれを抑制するものである。貫通部受部１６０は、カバーケース４０の上面に２個備わり、前後方向に沿って配置されている。貫通部受部１６０の直径と深さは、貫通ピン５３０の先端の直径に比べて僅かに大きく、先端の一部が隠れる程度の深さがあればよい。
【００４６】
カバーケース４０には、図８に示されるように、第１板ばね部材２２０１が組み付けられる。第１板ばね部材２２０１は、圧入部２７０が延びる面を下にして、板ばね部２２０が上になる姿勢で組み付けられる。第１板ばね部材２２０１は、ピン制御部１４に組み付けられた、抜け止めピン５０の貫通ピン５３０が切り欠き部２６０を通るように組み付けられる。
【００４７】
第１板ばね部材２２０１の圧入部２７０は、カバーケース４０上面に備わるスリット４５０に圧入されて、正規組み付け位置で固定される。正規組み付け位置で、カバーケース４０に固定された第１板ばね部材２２０１は、図８に示されるように、カバーケース４０の上面に重なるように備わり、中央の位置決め孔２８０の中心は、カバーケース４０の上面の位置決め孔４７０の中心と略一致する。
【００４８】
＜端子接続構造＞
端子接続構造２０について図面にしたがって説明する。図９は、本発明の実施形態に係る端子接続装置の端子接続構造を示す外観斜視図である。図１０は、同第１板ばね部材を示す外観斜視図である。図１１は、同第２板ばね部材を示す外観斜視図である。図１２は、同支持材を示す外観斜視図である。図１３は、図９に端子を挿入した状態を示す斜視図である。
【００４９】
端子接続構造２０は、図９に示されるように、第１端子接続構造２００と、第２端子接続構造２０１とを備えている。第１端子接続構造２００と、第２端子接続構造２０１とは、ともに支持部材３００と、板ばね部材２２０とを備えている。第１端子接続構造２００は、共有部材である支持部材３００と、第１板ばね部材２２０１とを備え、第２端子接続構造２０１は、支持部材３００と、第２板ばね部材２２０２とを備える。第１端子接続構造２００と、第２端子接続構造２０１とは、支持部材３００を共有するとともに、基本構造が共通するので、以降説明は、主に第１端子接続構造２００についておこなう。
【００５０】
第１端子接続構造２００は図９、図１０、図１１に示されるように、平板状の支持部材３００と、弾性変形可能部を含む板ばね部材２２０とを備えている。支持部材３００は、前方及び後方に２個の支持部３００ａ、３００ａを備えている。板ばね部材２２０は、板状に広がる基部２０５と、その前方及び後方に、前後端から湾曲し折り重なるようにして延びる板ばね部２２０ａ、２２０ａとを備えている。支持部３００ａ、３００ａと、板ばね部２２０ａ、２２０ａとは、対応する位置にあり、間に生じる隙間で端子６０を板厚
【００５１】
支持部３００ａは、端子６０と電気的機械的に接続するための平坦な本体３０１を備える。端子６０は、その平坦面を支持部３００ａの平坦な本体３０１と重ね合わせて接続することにより、大きな接続面積を獲得する。また、挟持する端子６０に対して板ばね部２２０ａから持続的に大きな付勢力が与えられる。これにより、大きな電流の接続にも対応できる信頼性の高い端子接続構造２０が得られる。
【００５２】
第１端子接続構造２００は、図９に示されるように、２組の端子接続手段２０３、及び
２０３を備えている。端子接続手段２０３は、接続を担う最小構成単位であって、支持部３００ａと、板ばね部２２０ａとを備えている。
【００５３】
板ばね部材２２０は、図１０、図１１に示されるように、板状に広がる基部２０５と、その前後端から湾曲し折り重なるようにして延びる板ばね部２２０ａ、２２０ａとを備えている。基部２０５は、端子接続構造２０を本体ケース１０に装着したとき、柱状に延びる案内部１７０を通すための位置決め孔２８０を、中央部に備えている。基部２０５は、端子接続構造２０を本体ケース１０の端子収容部１１０に装着するとき、端子収容部１１０の圧入スリット１４０に圧入して固定するための圧入部２７０を、左右側縁の前後端に備えている。圧入部２７０は、基部２０５の側縁から延びる切り出し片であって曲げ部を有し下方に延びている。
【００５４】
基部２０５は、図１０、図１１に示されるように、挿入途中にある端子６０を案内するための案内部２９０を、左右側縁の前後端に備えている。案内部２９０は、基部２０５の側縁から延びる切り出し片であって二つの曲げ部２９３、２９４を有し先端は上方に延びている。案内部２９０は、挿入された端子６０を支持するための支持面２９１を曲げ部２９４の先部に備えるとともに、前端部に端子６０を案内するための案内面２９２を備えている。案内部２９０は、挿入途中の端子６０の左右方向の位置ずれを修正し端子６０を正規挿入位置へ導く。案内部２９０は二つの曲げ部２９３、２９４を備えることで、弾性的変形可能範囲を広範にする。これにより、案内部２９０はサイズの相違するいくつかの端子６０の姿勢を正すことができる。
【００５５】
板ばね部材２２０は、図１０に示されるように、切り欠き部２６０を有する片持ち梁状の板ばね部２２０ａを備えている。切り欠き部２６０は、板ばね部２２０ａに形成され、自由端側の先端付近から固定端側の端縁に至り、さらに基部２０５まで回りこむ。その後端は、基部２０５中央にある位置決め孔２８０手前に至る。切り欠き部２６０は、端子６０が端子接続構造２０に挿入されたとき、抜け止めピン５０の操作性を確保するために、板ばね部２２０ａの干渉部分の切り取りである。
【００５６】
板ばね部材２２０は、裏面側から見ると、図１１に示されるように、前後に切り欠き部２６０がある基部２０５の左右側縁の前端、及び後端に圧入部２７０、及び案内部２９０の曲げ部２９３、２９４を確認することができる。この図１１は、第１板ばね部材２２０１の裏面側を示すものであるとともに、第２板ばね部材２２０２の本体ケース１０への正規組み付け姿勢の表面側を示すものでもある。
【００５７】
支持部材３００は、図１２に示されるように、端子接続構造２０の接続導体であって、導電性を考慮して比較的厚みを有する銅合金板材の打ち抜き加工品であってよい。これにより数十アンペアから百アンペア程度の比較的大きな電流を流すことができる。支持部３００ａは、板ばね部２２０ａとの協働で端子６０を板厚方向に電気的機械的に接続するための平坦な本体３０１を備えている。
【００５８】
支持部材３００は、図１２に示されるように、端子接続構造２０を本体ケース１０に装着するとき、前後左右のずれを修正するための位置決め孔３３０を、矩形状の本体３００の中央に備えている。支持部材３００は、位置決め孔３３０の前方、及び後方に円形の貫通孔３１０、３１０を備えている。貫通孔３１０は、抜け止めピン５０の貫通ピン５３０の貫通用の穴である。支持部材３００は、左右側縁の前端、及び後端に突起状の固定部３２０を備えている。固定部３２０は、支持部材３００を本体ケース１０に固定するために備わる。固定部３２０は、本体ケース１０の支持部１５０に嵌り、奥部にいくに従い支持部１５０に設けられたテーパによって支持台１５１に導かれる。固定部３２０は、支持台１５１で保持される。
【００５９】
端子接続構造２０は、図９に示されるように、中央に支持部材３００を共有し、この支持部材３００を含みその下段側に第１端子接続構造２００、及び支持部材３００を含みその上段側に第２端子接続構造２０１を備えている。第１端子接続構造２００は、支持部材３００と、第１板ばね部材２２０１とを備え、第２端子接続構造２０１は、支持部材３００と、第２板ばね部材２２０２とを備えている。第１端子接続構造２００、及び第２端子接続構造２０１は、ともに２組の端子接続手段２０３、２０３を備えている。端子接続手段２０３は、接続の最小構成単位の、支持部３００ａと、板ばね部２２０ａとを備えている。端子接続手段２０３は、板ばね部２２０ａと、支持部３００ａとの間に生じる隙間で端子６０を板厚方向から挟持し電気的機械的に接続する。端子６０は、板ばね部２２０ａが端子６０に付勢力を加え、支持部３００ａがその端子６０を支えることで、端子６０を強い力で挟持することができる。
【００６０】
第１板ばね部材２２０１の位置決め孔２８０、第２板ばね部材２２０２の位置決め孔２８０、及び支持部材３００の位置決め孔３３０は、図９に示されるように、正規組み付け状態で、各々の穴の中心が略一致している。また、支持部材３００の貫通孔３１０は、第１板ばね部材２２０１の切り欠き部２６０、及び第２板ばね部材２２０２の切り欠き部２６０が重なっている。これによって、上下方向ともに、抜け止めピン５０の動きを妨げるものは取り除かれている。
【００６１】
第１端子接続構造２００、及び第２端子接続構造２０１は、所定の組み付け構造を保持するために、相互に保持するための手段を備えていなくてもよく、各要素が本体ケース１０の所定の位置に組み付くための手段を備えていればよい。
【００６２】
所定の位置にある第１端子接続構造２００は、図１３に示されるように、前方、及び後方に端子接続手段２０３、２０３を備えている。端子接続手段２０３を構成する板ばね部２２０ａと、支持部３００ａとの隙間で、正規挿入位置にある端子６０を板厚方向に電気的機械的に接続する。前方の端子接続手段２０３に挿入された端子６０は、電線６１０を前方に延ばす姿勢で後方が挿入方向になる。また、後方の端子接続手段２０３に挿入された端子６０は、電線６１０を後方に延ばす姿勢で前方向が挿入方向になる。
【００６３】
第２端子接続構造２０１についても、図１３に示されるように、第１端子接続構造２００の場合と端子６０の挿入方向は同じになる。ただし、端子６０の上下面は逆転した位置になる。すなわち、端子６０の平坦面側（反圧着部側）が支持部３００ａに接する姿勢で、第１端子接続構造２００、第２端子接続構造２０１ともに挿入される。
【００６４】
＜抜け止めピン＞
抜け止めピン５０について図面にしたがって説明する。図１４は、本発明の実施形態に係る端子接続装置の抜け止めピンの外観斜視図である。図１５は、同抜け止めピンの底側からの外観斜視図である。図１６は、図１４のＹ１６−Ｙ１６線における断面斜視図である。
【００６５】
抜け止めピン５０は、図１４、図１５、図１６に示されるように、断面矩形の本体５００と、この下面から下方に延出する断面円形の貫通ピン５３０とを備えている。抜け止めピン５０は、端子接続構造２０の正規挿入位置に挿入された端子６０が抜け落ちないように、その位置で端子６０を固定するために備わる。
【００６６】
＜抜け止めピンの装着＞  抜け止めピン５０の装着について、図面にしたがって説明する。図１７は、本体ケースに抜け止めピン、第２板ばね部材、支持部材を装着する工程図であって、（Ａ）は装着前、（Ｂ）は抜け止めピンの装着工程、（Ｃ）は第２板ばね部材の
装着工程、（Ｄ）は支持部材の装着工程である。図１８は、図１７のＹ１８−Ｙ１８線における断面斜視図である。図１９は、図１７のＸ１９−Ｘ１９線における断面斜視図である。図２０は、本発明の実施形態に係る端子接続装置のカバーケースと、本体ケースとの組立工程を示す工程図であって、（Ａ）は、組立前、（Ｂ）は組立後を示す斜視図である。
【００６７】
本体５００は、図１４に示されるように、上面に、指先がかかる押し込み部５１０を備える。本体５００は、左右側壁に、上下方向に延びる溝５５０を備える。抜け止めピン５０の本体５００が、ピン制御部１４の収容部４１０に組み付けられたとき、溝５５０は、内向きに張り出した、収容部４１０の側面の第１係止部４２０、及び第２係止部４２１と、本体５００側面との衝突を避けるための逃がしである。溝５５０は、上端では上面に突き抜け、下端では、下面手前で前後方向に延びる係止部５７０でとまる。係止部５７０は、突状部でピン制御部１４の収容部４１０の内壁に備わる第２係止部４２１と係合する。これにより、抜け止めピン５０のピン制御部１４からの脱落が抑制される。左右側壁は、下半分で内側に切り欠き５６０が備わる。これにより、係止部５７０は内外方向に弾性的に変形可能である。
【００６８】
本体５００は、図１４に示されるように、前面、及び図示しない後面の上端部に凹状の差込口５４０を備える。差込口５４０は、挿入された抜け止めピン５０を引き抜くとき、ドライバー等を引掛けるために備わる。差込口５４０は、その目的に応じた幅と深さからなる矩形状の窪みである。
【００６９】
本体５００は、図１４、図１６に示されるように、前面、及び図示しない後面の下端部に凸状の係止部５７５を備える。係止部５７５は、ピン制御部１４に組み付けられた抜け止めピン５０が、外に脱落しないように、ピン制御部１４の抜け防止部４３０に係合する。組み付けの際、抜け止めピン５０は、ピン制御部１４の内側から組み付けられ、外側への可動限界位置が係止部５７５によって決まる。本体５００がピン制御部１４の上面から突出した状態で位置決めされる。
【００７０】
抜け止めピン５０は、図１９に示されるように、前後面に備わる係止部５７５がピン制御部１４の収容部４１０上端の前後内面に備わる抜け防止部４３０に係合することで、脱落が防がれる。また、抜け止めピン５０は、図１８に示されるように、左右側面に備わる係止部５７０がピン制御部１４の収容部４１０上端の左右内面に備わる第２係止部４２１に乗り上げることで、抜け止めピン５０の本体５００を外部に突出させた待機位置５０１で待機姿勢を保持することができる。
【００７１】
抜け止めピン５０が待機位置５０１にあるときは、図１８に示されるように、貫通ピン５３０の先端は、第２板ばね部材２２０２の切り欠き部２６０付近か、あるいはそこからやや上方にある。抜け止めピン５０は、図１８に示されるように、ピン制御部１４の下方向から収容部４１０に組み付けられ、本体５００の左右側面に備わる係止部５７０がピン制御部１４の収容部４１０下端の左右側面に備わる第１係止部４２０を乗り越えることで、ピン制御部１４と一体的に保持される。
【００７２】
図１９に示されるように、端子６０の挿入方向と直交する上下方向に沿って抜け止めピン５０の可動域がある。抜け止めピン５０は、上端の待機位置５０１にあるとき、ケース５から本体５００を露出させている。抜け止めピン５０の貫通ピン５３０は、端子収容部１１０を上下方向に移動可能である。抜け止めピン５０は、本体５００の上面がケース５の上面と面一になる位置が正規抜け止め位置５０２である。この位置で挿入された端子６０は、保持されることとなる。
【００７３】
＜端子接続構造の装着＞  端子接続構造２０の本体ケース１０への装着について、図面にしたがって説明する。図１７は、本体ケースに抜け止めピン、第２板ばね部材、支持部材を装着する工程図であって、（Ａ）は装着前、（Ｂ）は抜け止めピンの装着工程、（Ｃ）は第２板ばね部材の装着工程、（Ｄ）は支持部材の装着工程である。
【００７４】
端子接続構造２０は、図１７に示されるように、本体ケース１０の開口部１２０からその奥部にある端子収容部１１０に装着される。装着は、端子接続構造２０の構成要素単位で行なってよく、第２板ばね部材２２０２、支持部材３００、及び第１板ばね部材２２０１の順で行なってよい。
【００７５】
第２板ばね部材２２０２は、図１７の（Ｂ）に示されるように、板ばね部２２０ａが下に向く姿勢で本体ケース１０の第２端子収容部１１２に装着される。ピン制御部１４の上方から柱状に延びる案内部１７０を、第２板ばね部材２２０２の中央にある位置決め孔２８０に通すことで水平方向が位置決めされる。このままの姿勢で押し沈めていくと左右側縁の前後端に備わる圧入部２７０が、端子収容部１１０の上方に備わる圧入スリット１４０に圧入される。このとき、多少押圧をかけて差し込みことで、第２板ばね部材２２０２は正規装着位置に装着される。
【００７６】
正規装着位置に装着された第２板ばね部材２２０２は、本体ケース１０の第２挿入口１０２から挿入された端子６０を正規挿入位置で接続することができる。また、第２板ばね部材２２０２の切り欠き部２６０は、本体ケース１０底面の貫通部受部１６０に重なる位置にある。
【００７７】
支持部材３００は、図１７の（Ｂ）に示されるように、側縁に備わる固定部３２０が左右方向に位置する姿勢で、第２板ばね部材２２０２の上に重なるように装着される。柱状に延びる案内部１７０を中央の位置決め孔３３０に通して、水平方向の正位置を割り出す。
【００７８】
支持部材３００は、図１７に示されるように、本体ケース１０の左右側壁内面に備わる支持部１５０に沿って進み、正規装着位置で支持台１５１に当たる。正規装着位置にある支持部材３００は、位置決め孔３３０の前後に備わる貫通孔３１０、３１０の中心が、抜け止めピン５０の貫通ピンの中心に一致する。さらに、第２板ばね部材２２０２の切り欠き部２６０は、貫通孔３１０と貫通ピンとの間に位置し、貫通孔３１０と貫通ピンとの間から抜け止めピン５０の動きを妨げる物は取り除かれている。
【００７９】
支持部材３００の固定部３２０が本体ケース１０左右側壁内面の支持台１５１に係合することで、支持部材３００が正規装着位置に装着されるとともに、先に装着されている第２板ばね部材２２０２がその正規装着位置で保持される。
【００８０】
正規装着位置にある第２板ばね部材２２０２と、支持部材３００とから２組の端子接続手段２０３、２０３が構築される。端子接続手段２０３は、図１３に示されるように、板ばね部２２０ａと、支持部３００ａとを備える接続の最小構成単位で、その間に生じる隙間で端子６０を板厚方向に挟持して、電気的機械的に接続する。板ばね部２２０ａが端子６０に付勢力を加え支持部３００ａがその端子６０を支えることで、端子６０を強い力で挟持することができる。
【００８１】
支持部材３００が正規装着位置に装着された次は、第１板ばね部材２２０１が装着される。しかし、第１板ばね部材２２０１は、カバーケース４０と一体となって、この位置に装着される。よって、以降の工程についてはカバーケース４０の組み付けのなかで説明する。
【００８２】
＜カバーケースの装着＞  カバーケース４０は、図２０に示されるように、本体ケース１０の底面の開口部１２０から連なるカバー収容部１２１に嵌め込まれる。本体ケース１０には、既に第２板ばね部材２２０２、支持部材３００が装着されている。カバーケース４０は、支持部材３００の下方に重ねて組み付けられる。カバーケース４０の左右側面に備わる押え部４６０を端子収容部１１０の左右側壁に備わる溝部１２２ａに沿わせて沈めていく。正規嵌め込み位置で、押え部４６０の係止部４６１が溝部１２２ａの保持部１２２に係合し、この位置で固定される。
【００８３】
カバーケース４０が本体ケース１０に嵌め込まれることで、図２０に示されるように、端子接続装置１は組みあがる。端子接続装置１は、前面及び後面に端子挿入口１００を備える。端子挿入口１００は、前面及び後面の上下二段に第１挿入口１０１、第２挿入口１０２が備わる。挿入口１００の奥には端子収容部１１０が備わる。
【００８４】
＜第１端子接続構造＞  カバーケース４０の本体ケース１０への嵌め込みによって、第１端子接続構造２００が構築される。第１端子接続構造２００は、図１０に示されるように、第１板ばね部材２２０１と、支持部材３００とを備えている。第１板ばね部材２２０１は、２個の板ばね部２２０ａ、２２０ａを備え、支持部材３００は２個の支持部３００ａ、３００ａを備えている。板ばね部２２０ａと、支持部３００ａとから接続の最小構成単位である端子接続手段２０３が構成される。端子６０は、その板厚方向が端子接続手段２０３によって挟持され、電気的機械的接続状態が得られる。
【００８５】
＜端子の接続＞  端子６０の接続について、図面にしたがって説明する。図２１は、本発明の実施形態に係る端子接続装置に、圧着端子を挿入し、抜け止めピンを押し込む過程を示す接続手順図であって、（Ａ）は、圧着端子の挿入開始を示す斜視図、（Ｂ）は、圧着端子の挿入完了状態を示す斜視図、（Ｃ）は、前側の抜け止めピンを抜け止め位置まで押し下げた状態を示す斜視図である。図２２は、図２１のＸ２２−Ｘ２２線における断面傾斜図である。図２３は、筐体に取り付けられた状態の本発明の実施形態に係る端子接続装置に４本の圧着端子を挿入した状態を示す外観斜視図である。
【００８６】
抜け止めピン５０は、図２１、図２２に示されるように、待機位置５０１で保持されている。電線６１０の端部に連なる端子６０は、いわゆる中央に穴のある丸型圧着端子である。端子６０は、前面から２個、及び後面から２個挿入することができる。以下説明は、主に前面について行なう。
第１挿入口１０１（下側）の端子６０は、図１３、図２２に示されるように、平坦面が上になる姿勢で挿入する。第２挿入口１０２（上側）の端子は、平坦面が下になる姿勢で挿入する。挿入口１００から挿入された端子６０は、端子接続構造２０の案内部２９０によって位置が修正されて奥部に進む。端子６０の先端が板ばね部２２０ａに係りはじめると指先に挿入抵抗を感じる。板ばね部２２０ａを弾性変形させながら端子６０を支持部３００ａに沿って押し進めると先端が、案内部１７０に突き当たり、当接位置が正規挿入位置となる。端子６０は、正規挿入位置で保持される。
【００８７】
同じ要領で第１挿入口１０１、及び第２挿入口１０２に端子６０を正規挿入位置まで挿入すると、図２２に示されるように、両端子６０、６０は端子接続手段２０３で電気的機械的に接続される状態になる。
抜け止めピン５０は、図２１、２２に示されるように、上方の待機位置５０１にある。挿入途中にある端子６０は、左右方向の案内部２９０に当たる。これにより、端子６０の左右方向の位置ずれが修正される。さらに端子６０を挿入すると、板ばね部２２０ａの接触部２３０に当たる。このとき端子６０の裏面は、平坦な全面で支持部３００に接触している。この状態のまま挿入し続けると、端子６０の先端が案内部１７０に接する。この接
触位置が端子６０の正規挿入位置である。第１端子接続構造２００、および第２端子接続構造２０１の端子接続手段２０３にそれぞれ端子６０を挿入し終えた後、抜け止めピン５０を待機位置５０１から抜け止め位置５０２に切り替える。
【００８８】
外部から電線に不用意な力が加えられても安定した接続状態が変わることがないように、この状態を保持する。抜け止めピン５０を、待機位置５０１から抜け止め位置５０２に切り替える。抜け止めピン５０は、図２２に示されるように、本体５００が台座部上面１３ａから突出した状態から、押し下げられて面一状態になる。その過程で、貫通ピン５３０は、第２板ばね部材２２０２の切り欠き部２６０を通り、第２端子収容部１１２にある端子６０の穴６００を通り、さらに支持部３００ａの貫通孔３１０を通り、第１端子収容部１１１にある端子６０の穴６００を通り、第１板ばね部材２２０１の切り欠き部２６０を通り、最後にカバーケース４０の上面にある貫通部受部１６０に先端を嵌めて正規抜け止め位置５０２に達する。
【００８９】
第１端子収容部１１１にある端子６０、及び第２端子収容部１１２にある端子６０は、図２２に示されるように、ともに１個の抜け止めピン５０によって正規挿入位置における電気的機械的接続状態が保持されることとなる。端子６０と端子接続構造２０との電気的機械的接続は、板ばね部２２０ａと、支持部３００ａとの間に作用する付勢力によって担われ、その挟持力だけでは、端子６０の不用意な抜けを防ぎきれないところを、抜け方向と直交する方向にかかる抜け止めピン５０の閂作用で補強する。抜け止めピン５０は、上下方向の移動だけで、抜け止め位置５０２と、解除位置である待機位置５０１とを切り替えることができるので、専用治具を必要としない簡易な操作で端子６０の接続保持あるいは解除を行なうことができる端子接続装置１が得られる。
【００９０】
端子接続装置１は、図２３に示されるように、前面に２個の挿入口１００、及び後面に２個の挿入口１００を備えている。これにより、端子接続装置１は、合計４個の端子６０の電気的機械的接続を行なうことができる。端子６０を挿入口１００から正規挿入位置まで挿入し、抜け止めピン５０を待機位置５０１から抜け止め位置５０２に切り替えると、４個の端子６０は、端子接続装置１によって、電気的機械的に接続された状態になる。接続状態を解除し、端子６０を端子接続装置１から外すときは、抜け止めピン５０を待機位置５０１まで引き上げて、貫通ピン５３０を端子６０の穴６００から外す。この状態で端子６０の脱抜作業を妨げる機械的力は除かれたので、通常おこなう端子６０の引き抜き作業程度の力をかけて端子６０を取り外すことができる。
【００９１】
このように、本発明に係る端子接続装置１は、ドライバー等の治工具を使用することなく容易に端子６０の接続、及び取り外しを行なうことができ、電気的機械的接続は、導電性のよい無酸素銅の比較的厚みのある板材で端子６０全面に接触する。さらに、押圧は剛性の高いステンレス材の弾性片によって行なう。これにより、比較的大きな電流が流れるところの接続に使用ができ、且つ、端子６０の着脱が容易にできる端子接続装置１が得られる。
【００９２】
＜効果＞・本実施形態に係る端子接続装置１は、支持部３００ａと、板ばね部２２０ａとからなる端子接続手段２０３を備えている。これにより、丸型端子、開型端子の双方に対応可能な端子接続装置１が得られる。
・本実施形態に係る端子接続装置１は、支持部３００ａが比較的板厚のある、導電性のよい銅合金の板材からなり、端子６０と広い面で接触可能である。さらに、板ばね部２２０ａは、比較的剛性の高いステンレス材からなる。これにより、数十アンペアから百アンペア程度の大きな電流が流れるところの接続に使用可能な端子接続装置１が得られる。
【００９３】
・本実施形態に係る端子接続装置１は、一つの端子接続構造２０で４個の端子６０の接続
ができる。さらに、端子接続構造２０は、一つの板ばね部材２２０を共有し、電気的につながっている。これにより、１→２の分岐回路、１→３の分岐回路を容易に組むことができる端子接続装置１が得られる。
・本実施形態に係る端子接続装置１は、一側面に端子挿入口１００を上下に２個備えている。これにより、電線を引き回すことなく、リターン回路を組むことができる端子接続装置１が得られる。
【００９４】
・本実施形態に係る端子接続装置１は、板ばね部２２０ａを備え、板ばね部２２０ａは、端子６０の挿入方向に沿って弾性片が延びる。さらに、端子６０の挿入側は案内用のテーパを備えている。これにより、端子６０の挿入がスムーズにでき、且つ、板ばね部２２０ａに無理な力を加えることがない端子接続手段２０３を備えた端子接続装置１が得られる。
・本実施形態に係る端子接続装置１は、絶縁性のケース５で保護されている。これにより、接続部に露出部がないので不用意な電気的な接触事故が生じるおそれがない端子接続装置１が得られる。
【００９５】
・本実施形態に係る端子接続装置１は、絶縁性のケース５で保護されている。これにより、接続部に埃や水滴による不具合が生じることがなく、信頼性の高い端子接続装置１が得られる。
【００９６】
・本実施形態に係る端子接続装置１は、端子６０の抜けを防ぐ抜け止めピン５０を備え、且つ、抜け止めピン５０は、待機位置５０１と、抜け止め位置５０２の切り替えが抜け止めピン５０の抜き差し操作だけで行なうことができる。これにより、端子６０の固定が抜け止めピン５０の抜き差しだけで行なうことができる端子接続装置１が得られる。
【００９７】
・本実施形態に係る端子接続装置１は、１個の抜け止めピン５０で、上下２段に挿入された２個の端子６０を同時に固定することができる。
【００９８】
・本実施形態に係る端子接続装置１は、抜け止めピン５０は、端子６０を受け入れる前の待機位置５０１と、端子６０を固定するための抜け止め位置５０２を有し、且つ、この切り替えは、抜け止めピン５０の抜き差しだけで行なうことができる。これにより、節度ある端子６０の固定解除操作を行なうことができる端子接続装置１が得られる。
・本実施形態に係る端子接続装置１は、端子６０を接続し抜け止めピン５０を抜け止め位置５０２に押し下げた状態で使用される。この状態で、抜け止めピン５０の最も外面は、ケース５の面と面一状態である。これにより、側面に凹凸のない平坦面で構成された箱形の端子接続装置１が得られる。
【００９９】
・本実施形態に係る端子接続装置１は、抜け止め位置５０２にある抜け止めピン５０を引き抜くための差込口５４０を備えている。これにより、不用意に引掛けることはなく安全であり、且つ、引き抜くときはドライバーの先端を引掛けて引き抜くことができる端子接続装置１が得られる。
・本実施形態に係る端子接続装置１は、共通する板ばね部材２２０ａに４個の端子６０を電気的機械的に接続することができる。これにより、容易に１→３分岐回路、１→２分岐回路を組むことができる端子接続装置１が得られる。
【０１００】
・本実施形態に係る端子接続装置１は、１側面に上下２段に端子挿入口１００を備えている。これにより、容易にリターン回路を組むことができる端子接続装置１が得られる。
・本実施形態に係る端子接続装置１は、二つの屈曲部によって構成された横方向に弾性変形可能な端子案内部を備えている。これにより、横方向の位置修正範囲が広がるのでサイズが相違する端子６０の種類に対応可能な端子接続装置１が得られる。
・丸型端子だけでなく、開型端子の接続にも使用可能であって、特に丸型端子、横開型端子に関しては、抜け止めピン５０による抜け止め効果が有効に奏される端子接続装置１が得られる。
【０１０１】
・本体ケース５の内側上部に一体的にピン制御部１４が備わり、カバーケース４０は本体ケース５の底面の開口部１２０に装着される構造である。また本体ケース５は側面の下端に備わるフランジ１１で対応する筐体７０にねじ締め固定される。これにより、端子６０の挿抜によるカバーケース４０の本体ケース５からの浮き上がりが抑制される端子接続装置１が得られる。
【０１０２】
・本体ケース５にねじ締め用のフランジ１１が備わる一体構造なので、別体としてねじ締め用の部材が不要になる。これにより、部品点数が少ない組み付け容易な端子接続装置１が得られる。
【０１０３】
・抜け止めピン５０の貫通ピン５３０が本体５００と別体なので、材料の選択範囲が広がる。これにより、鉄材の使用で繰り返し挿抜による材料の損耗が軽減される結果、保持力の安定した端子接続装置１が得られる。
【符号の説明】
【０１０４】
１              端子接続装置
５              ケース
１０            本体ケース
１１            フランジ
１２            ねじ穴（ボルト穴）
１３            台座部
１３ａ          台座部上面
１４            ピン制御部
１００          挿入口
１０１          第１挿入口
１０２          第２挿入口
１１０          端子収容部
１１１          第１端子収容部
１１２          第２端子収容部
１２０          開口部
１２１          カバー収容部
１２２          保持部
１２２ａ        溝部
１３０          電線収容部
１３１          第１電線収容部
１３２          第２電線収容部
１３３          仕切壁
１３４          奥壁
１３５          スリット
１４０          圧入スリット
１５０          支持部
１５１          支持台
１６０          貫通部受部
１７０          案内部
１８０          連結部
１８１          固定台
２０            端子接続構造
２００          第１端子接続構造
２０１          第２端子接続構造
２０３          端子接続手段
２０５          基部
２２０          板ばね部材
２２０ａ        板ばね部
２２０１        第１板ばね部材
２２０２        第２板ばね部材
２３０          接触部
２４０          曲げ部
２５０          連結部
２６０          切り欠き部
２７０          圧入部
２８０          位置決め孔
２９０          案内部
２９１          支持面
２９２          案内面
２９３          曲げ部
２９４          曲げ部
３００          支持部材
３００ａ        支持部
３０１          本体
３１０          貫通孔
３２０          固定部
３３０          位置決め孔
３４０          接触部
４０            カバーケース
４００          本体
４０１          上面
４０２          下面
４０３          側面
４１０          収容部
４１１          挿入口
４１２          開口部
４２０          第１係止部
４２１          第２係止部
４３０          抜け防止部
４４０          差込案内
４５０          スリット
４６０          押え部
４６１          係止部
４７０          位置決め孔
５０            抜け止めピン
５００          本体
５０１          待機位置
５０２          抜け止め位置
５１０          押し込み部
５３０          貫通ピン（鉄ピン）
５４０          差込口
５５０          溝
５６０          切り欠き
５７０          係止部
５７５          係止部
６０            端子（圧着端子）
６００          穴
６１０          電線
６２０          接触部
７０            筐体
【図１】
2018081882.tif 000003
【図２】
2018081882.tif 000004
【図３】
2018081882.tif 000005
【図４】
2018081882.tif 000006
【図５】
2018081882.tif 000007
【図６】
2018081882.tif 000008
【図７】
2018081882.tif 000009
【図８】
2018081882.tif 000010
【図９】
2018081882.tif 000011
【図１０】
2018081882.tif 000012
【図１１】
2018081882.tif 000013
【図１２】
2018081882.tif 000014
【図１３】
2018081882.tif 000015
【図１４】
2018081882.tif 000016
【図１５】
2018081882.tif 000017
【図１６】
2018081882.tif 000018
【図１７】
2018081882.tif 000019
【図１８】
2018081882.tif 000020
【図１９】
2018081882.tif 000021
【図２０】
2018081882.tif 000022
【図２１】
2018081882.tif 000023
【図２２】
2018081882.tif 000024
【図２３】
2018081882.tif 000025